(57)【要約】【課題】携帯電話端末を用いて、ドアの開放を制御して、人の入場を管理する入場管理システムを提供する。【解決手段】ユーザ３００に所持される携帯電話端末１０ａは、カメラによってユーザを含む画像を撮影した画像データを生成し、生成した画像データから特徴データを生成し、生成した特徴データを記憶手段へ記録する。ドア制御装置３０ａは、無線信号を送信し、送信する無線信号により前記携帯電話端末から出力される前記特徴データを含む無線信号を受信し、無線信号を受信した場合、連動カメラ５０に撮影指示情報を送信し、連動カメラ５０から送信される画像データを受信する。また、ドア制御装置３０ａは、受信した画像データから前記特徴データを生成し、生成した特徴データと、受信する無線信号に含まれる特徴データとが一致するか否かを判定し、一致する場合にドア１００を開放させる。【選択図】図１
2007157022.tif 000002
【特許請求の範囲】
【請求項１】
ユーザに所持される携帯電話端末と、扉の開閉を制御する扉制御装置とを備え、前記ユーザの入場を扉の開閉により管理する入場管理システムであって、
前記扉の近傍に設置され、前記扉制御装置からの撮影指示情報に基づいて撮影した画像の画像データを前記扉制御装置に送信する第１のカメラを更に備え、
前記携帯電話端末は、
第２のカメラと、
前記第２のカメラによって前記ユーザを含む画像を撮影した画像データを生成する撮影手段と、
前記撮影手段が生成する画像データから特徴データを生成する特徴データ生成手段と、
前記特徴データ生成手段が生成した特徴データを記憶手段へ記録する記録手段と、
無線信号を受信して前記記憶手段に記憶されている特徴データを含む無線信号を出力する無線信号出力手段と、を備え、
前記扉制御装置は、
前記無線信号を送信する無線送信手段と、
前記無線送信手段が送信する無線信号により前記携帯電話端末から出力される前記特徴データを含む無線信号を受信する無線受信手段と、
前記第１のカメラに接続され、前記無線受信手段が前記無線信号を受信した場合、前記第１のカメラに撮影指示情報を送信し、前記第１のカメラから送信される画像データを受信するカメラ接続手段と、
前記カメラ接続手段が受信した画像データから前記特徴データを生成する第２の特徴データ生成手段と、
前記第２の特徴データ生成手段が生成した特徴点データと、前記無線受信手段が受信する無線信号に含まれる特徴データとが一致するか否かを判定する判定手段と、
前記判定手段が前記第２の特徴データ生成手段が生成した特徴点データと、前記無線受信手段が受信する無線信号に含まれる特徴データとが一致すると判定した場合、前記扉を開放する扉開放手段と、
を備えたことを特徴とする入場管理システム。
【請求項２】
ユーザに所持され、予め一意に識別可能な識別情報が付与される携帯電話端末と、扉の開閉を制御する扉制御装置とを備え、前記ユーザの入場を扉の開閉により管理する入場管理システムであって、
前記携帯電話端末に接続する第１の接続手段と、
前記第１の接続手段が前記携帯電話端末から受信する識別情報と前記特徴データとを対応付けて認証情報記憶手段へ記録する第１の記録手段と、
前記扉制御装置から送信される識別情報に基づいて、前記認証情報記憶手段から前記特徴データを読み出し、読み出した前記特徴データと、前記扉制御装置から前記識別情報とともに受信する特徴データとが一致するか否かを判定し、一致する場合に、前記扉制御装置に扉開放指示情報を送信する判定手段と、を具備する認証サーバ装置を更に備え、
前記携帯電話端末は、
カメラと、
前記カメラによって前記ユーザを含む画像を撮影した画像データを生成する撮影手段と、
前記撮影手段が生成する画像データから特徴データを生成する特徴データ生成手段と、
前記特徴データ生成手段が生成した特徴データと前記識別情報を記憶手段へ記録する記録手段と、
前記特徴データ生成手段が生成した特徴データ及び前記識別情報を前記認証サーバ装置に送信する通信手段と、
無線信号を受信して前記記憶手段に記憶される特徴データ及び前記識別情報を含む無線信号を出力する無線信号出力手段とを備え、
前記扉制御装置は、
前記無線信号を送信する無線送信手段と、
前記無線送信手段が送信する無線信号により前記携帯電話端末から出力される前記特徴データ及び前記識別情報を含む無線信号を受信する無線受信手段と、
前記認証サーバ装置に接続され、前記無線受信手段が前記無線信号を受信した場合、前記無線信号から前記特徴データ及び前記識別情報を読み出して前記認証サーバ装置に送信し、前記認証サーバ装置から前記扉開放指示を受信する第２の接続手段と、
前記第２の接続手段が、前記扉開放指示を受信した場合、前記扉を開放する扉開放手段と、
を備えたことを特徴とする入場管理システム。
【請求項３】
ユーザに所持され、予め一意に識別可能な識別情報が付与さえる携帯電話端末と、扉の開閉により前記ユーザの入場管理する入場管理装置と、を備えた入場管理システムであって、
前記扉の近傍に設置され、前記扉制御装置からの撮影指示情報に基づいて撮影した画像の画像データを前記扉制御装置に送信する第１のカメラを更に備え、
前記携帯電話端末は、
第２のカメラと、
前記第２のカメラによって前記ユーザを含む画像を撮影した画像データを生成する撮影手段と、
前記撮影手段が生成する画像データから特徴データを生成する特徴データ生成手段と、
前記特徴データ生成手段が生成した特徴データと前記識別情報を記憶手段へ記録する第１の記録手段と、
前記特徴データ生成手段が生成した特徴データ及び前記識別情報を前記入場管理装置に送信する通信手段と、
無線信号を受信して記憶手段に記憶される特徴データ及び前記識別情報を含む無線信号を出力する無線信号出力手段とを備え、
前記入場管理装置は、
前記携帯電話端末に接続する第１の接続手段と、
前記第１の接続手段が前記携帯電話端末から受信する識別情報と前記特徴データとを対応付けて認証情報記憶手段に記録する第２の記録手段と、
前記無線信号を送信する無線送信手段と、
前記無線送信手段が送信する無線信号により前記携帯電話端末から出力される前記特徴データ及び前記識別情報を含む無線信号を受信する無線受信手段と、
前記第１のカメラに接続され、前記無線受信手段が前記無線信号を受信した場合、前記第１のカメラに撮影指示情報を送信し、前記第１のカメラから送信される画像データを受信するカメラ接続手段と、
前記カメラ接続手段が受信した画像データから前記特徴データを生成する第２の特徴データ生成手段と、
前記無線受信手段が受信する無線信号に含まれる識別情報に基づいて、前記認証情報記憶手段から前記特徴データを読み出し、読み出した前記特徴データと、前記無線受信手段が受信した無線信号に前記識別情報とともに含まれる特徴データと、前記第２の特徴データ生成手段が生成した特徴点データとが互いに一致するか否かを判定する判定手段と、
前記判定手段が前記特徴点データが互いに一致すると判定した場合に、前記扉を開放する扉開放手段と、
を備えたことを特徴とする入場管理システム。
【請求項４】
前記特徴点データとは、前記ユーザの顔の特徴点、または前記ユーザの虹彩の特徴点を示すデータであることを特徴とする請求項１から３のいずれか１つ記載の入場管理システム。
【請求項５】
ユーザに所持され、第２のカメラを有する携帯電話端末と、扉の開閉を制御する扉制御装置と、前記扉の近傍に設置され、前記扉制御装置からの撮影指示情報に基づいて撮影した画像の画像データを前記扉制御装置に送信する第１のカメラとを備え、前記ユーザの入場を扉の開閉により管理する入場管理方法であって、
前記携帯電話端末が、前記第２のカメラによって前記ユーザを含む画像を撮影した画像データを生成するステップと、
前記携帯電話端末が、生成する画像データから特徴データを生成するステップと、
前記携帯電話端末が、生成した特徴データを記憶手段へ記録するステップと、
前記扉制御装置が、無線信号を送信するステップと、
前記携帯電話端末が、前記扉制御装置から前記無線信号を受信して前記記憶手段に記憶されている特徴データを含む無線信号を出力するステップと、
前記扉制御装置が、送信する無線信号により前記携帯電話端末から出力される前記特徴データを含む無線信号を受信するステップと、
前記扉制御装置が、前記無線信号を受信した場合、前記第１のカメラに撮影指示情報を送信するステップと、
前記扉制御装置が、前記第１のカメラから送信される画像データを受信するステップと、
前記扉制御装置が、受信した画像データから前記特徴データを生成するステップと、
前記扉制御装置が、生成した特徴点データと、受信する無線信号に含まれる特徴データとが一致するか否かを判定するステップと、
前記扉制御装置が、生成した特徴点データと、受信する無線信号に含まれる特徴データとが一致すると判定した場合、前記扉を開放するステップと、
を含むことを特徴とする入場管理方法。
【請求項６】
ユーザに所持され、予め一意に識別可能な識別情報が付与され、カメラを有する携帯電話端末と、扉の開閉を制御する扉制御装置と、前記携帯電話端末と前記扉制御装置に接続される認証サーバ装置とを備え、前記ユーザの入場を扉の開閉により管理する入場管理方法であって、
前記携帯電話端末が、前記カメラによって前記ユーザを含む画像を撮影した画像データを生成するステップと、
前記携帯電話端末が、生成する画像データから特徴データを生成するステップと、
前記携帯電話端末が、生成した特徴データと前記識別情報を記憶手段へ記録するステップと、
前記携帯電話端末が、生成した特徴データ及び前記識別情報を前記認証サーバ装置に送信するステップと、
前記認証サーバ装置が、前記携帯電話端末から受信する識別情報と前記特徴データとを対応付けて認証情報記憶手段へ記録するステップと、
前記扉制御装置が、無線信号を送信するステップと、
前記携帯電話端末が、前記扉制御装置から前記無線信号を受信して前記記憶手段に記憶される特徴データ及び前記識別情報を含む無線信号を出力するステップと、
前記扉制御装置が、送信する無線信号により前記携帯電話端末から出力される前記特徴データ及び前記識別情報を含む無線信号を受信するステップと、
前記扉制御装置が、前記無線信号を受信した場合、前記無線信号から前記特徴データ及び前記識別情報を読み出して前記認証サーバ装置に送信するステップと、
前記認証サーバ装置が、前記扉制御装置から送信される識別情報に基づいて、前記認証情報記憶手段から前記特徴データを読み出すステップと、
前記認証サーバ装置読み出した前記特徴データと、前記扉制御装置から前記識別情報とともに受信する特徴データとが一致するか否かを判定し、一致する場合に、前記扉制御装置に扉開放指示情報を送信するステップと、
前記扉制御装置が、前記認証サーバ装置から前記扉開放指示を受信するステップと、
前記扉制御装置が、前記扉開放指示を受信した場合、前記扉を開放するステップと、
を含むことを特徴とする入場管理方法。
【請求項７】
ユーザに所持され、予め一意に識別可能な識別情報が付与され、第２のカメラを有する携帯電話端末と、扉の開閉により前記ユーザの入場管理する入場管理装置と、前記扉の近傍に設置され、前記扉制御装置からの撮影指示情報に基づいて撮影した画像の画像データを前記扉制御装置に送信する第１のカメラと、を備えた入場管理方法であって、
前記携帯電話端末が、前記第２のカメラによって前記ユーザを含む画像を撮影した画像データを生成するステップと、
前記携帯電話端末が、生成する画像データから特徴データを生成するステップと、
前記携帯電話端末が、生成した特徴データと前記識別情報を記憶手段へ記録するステップと、
前記携帯電話端末が、生成した特徴データ及び前記識別情報を前記入場管理装置に送信するステップと、
前記入場管理装置が、前記携帯電話端末から受信する識別情報と前記特徴データとを対応付けて認証情報記憶手段に記録するステップと、
前記入場管理装置が、無線信号を送信するステップと、
前記携帯電話端末が、前記入場管理装置から前記無線信号を受信して前記記憶手段に記憶される特徴データ及び前記識別情報を含む無線信号を出力するステップと、
前記入場管理装置が、送信する無線信号により前記携帯電話端末から出力される前記特徴データ及び前記識別情報を含む無線信号を受信するステップと、
前記入場管理装置が、前記無線信号を受信した場合、前記第１のカメラに撮影指示情報を送信するステップと、
前記入場管理装置が、前記第１のカメラから送信される画像データを受信するステップと、
前記入場管理装置が、受信した画像データから前記特徴データを生成するステップと、
前記入場管理装置が、受信する無線信号に含まれる識別情報に基づいて、前記認証情報記憶手段から前記特徴データを読み出すステップと、
前記入場管理装置が、生成した特徴点データと、前記認証情報記憶手段から読み出した前記特徴データと、受信した無線信号に当該識別情報とともに含まれる特徴データとが互いに一致するか否かを判定するステップと、
前記入場管理装置が、前記特徴点データが互いに一致すると判定した場合に、前記扉を開放するステップと、
を含むことを特徴とする入場管理方法。
【発明の詳細な説明】
【技術分野】
【０００１】
本発明は、携帯電話端末を用いて人の入場の管理に用いられる入場管理システム、入場管理方法に関する。
【背景技術】
【０００２】
近年、携帯電話端末は、電話による通信手段に留まらず、電子メール機能や、電子マネー機能や、カメラ機能などの様々な機能を有しており、個人の生活において欠かせないものになりつつある。
【０００３】
上記のような機能の中で、携帯電話端末が個人に所持されることが多いということから、電子マネーの決済における個人認証に適用するといったことも行われている（例えば、特許文献１参照）。
【特許文献１】特開２００５−０６３０７７号公報
【発明の開示】
【発明が解決しようとする課題】
【０００４】
ところで、最近、オフィスビル内におけるセキュリティの向上のため、居室ごとに社員の入室を管理するというニーズが高まっている。そのため、各社員に登録情報を記憶させたＩＣカードを携帯させ、各居室のドア付近に設置されたカードリーダにＩＣカードに記憶される登録情報を読み出させ、認証装置によりカードリーダに読み出させた登録情報が予め登録されている情報である場合に、ドアのロックを解除するという仕組みが多くのオフィスビルで導入されている。
【０００５】
そこで、市場のニーズとして、上記のドアのロック解除のためのＩＣカードを各社員に所持させる代わりに、携帯電話端末にＩＣカードと同じ機能を具備させて、カードの携帯を不要とし、さらに、携帯電話端末が有する機能との相乗効果を有するサービスが求められているが、従来の技術では、そのようなサービスを提供することができていないという問題がある。
【０００６】
本発明は、上記問題を解決すべくなされたもので、その目的は、携帯電話端末を用いて、ドアの開放を制御して、人の入場を管理する入場管理システム、入場管理方法を提供することにある。
【課題を解決するための手段】
【０００７】
上記問題を解決するために、本発明は、ユーザに所持される携帯電話端末と、扉の開閉を制御する扉制御装置とを備え、前記ユーザの入場を扉の開閉により管理する入場管理システムであって、前記扉の近傍に設置され、前記扉制御装置からの撮影指示情報に基づいて撮影した画像の画像データを前記扉制御装置に送信する第１のカメラを更に備え、前記携帯電話端末は、第２のカメラと、前記第２のカメラによって前記ユーザを含む画像を撮影した画像データを生成する撮影手段と、前記撮影手段が生成する画像データから特徴データを生成する特徴データ生成手段と、前記特徴データ生成手段が生成した特徴データを記憶手段へ記録する記録手段と、無線信号を受信して前記記憶手段に記憶されている特徴データを含む無線信号を出力する無線信号出力手段と、を備え、前記扉制御装置は、前記無線信号を送信する無線送信手段と、前記無線送信手段が送信する無線信号により前記携帯電話端末から出力される前記特徴データを含む無線信号を受信する無線受信手段と、前記第１のカメラに接続され、前記無線受信手段が前記無線信号を受信した場合、前記第１のカメラに撮影指示情報を送信し、前記第１のカメラから送信される画像データを受信するカメラ接続手段と、前記カメラ接続手段が受信した画像データから前記特徴データを生成する第２の特徴データ生成手段と、前記第２の特徴データ生成手段が生成した特徴点データと、前記無線受信手段が受信する無線信号に含まれる特徴データとが一致するか否かを判定する判定手段と、前記判定手段が前記第２の特徴データ生成手段が生成した特徴点データと、前記無線受信手段が受信する無線信号に含まれる特徴データとが一致すると判定した場合、前記扉を開放する扉開放手段と、を備えたことを特徴とする入場管理システムである。
【０００８】
また、本発明は、ユーザに所持され、予め一意に識別可能な識別情報が付与される携帯電話端末と、扉の開閉を制御する扉制御装置とを備え、前記ユーザの入場を扉の開閉により管理する入場管理システムであって、前記携帯電話端末に接続する第１の接続手段と、前記第１の接続手段が前記携帯電話端末から受信する識別情報と前記特徴データとを対応付けて認証情報記憶手段へ記録する第１の記録手段と、前記扉制御装置から送信される識別情報に基づいて、前記認証情報記憶手段から前記特徴データを読み出し、読み出した前記特徴データと、前記扉制御装置から前記識別情報とともに受信する特徴データとが一致するか否かを判定し、一致する場合に、前記扉制御装置に扉開放指示情報を送信する判定手段と、を具備する認証サーバ装置を更に備え、前記携帯電話端末は、カメラと、前記カメラによって前記ユーザを含む画像を撮影した画像データを生成する撮影手段と、前記撮影手段が生成する画像データから特徴データを生成する特徴データ生成手段と、前記特徴データ生成手段が生成した特徴データと前記識別情報を記憶手段へ記録する記録手段と、前記特徴データ生成手段が生成した特徴データ及び前記識別情報を前記認証サーバ装置に送信する通信手段と、無線信号を受信して前記記憶手段に記憶される特徴データ及び前記識別情報を含む無線信号を出力する無線信号出力手段とを備え、前記扉制御装置は、前記無線信号を送信する無線送信手段と、前記無線送信手段が送信する無線信号により前記携帯電話端末から出力される前記特徴データ及び前記識別情報を含む無線信号を受信する無線受信手段と、前記認証サーバ装置に接続され、前記無線受信手段が前記無線信号を受信した場合、前記無線信号から前記特徴データ及び前記識別情報を読み出して前記認証サーバ装置に送信し、前記認証サーバ装置から前記扉開放指示を受信する第２の接続手段と、前記第２の接続手段が、前記扉開放指示を受信した場合、前記扉を開放する扉開放手段と、を備えたことを特徴とする入場管理システムである。
【０００９】
また、本発明は、ユーザに所持され、予め一意に識別可能な識別情報が付与さえる携帯電話端末と、扉の開閉により前記ユーザの入場管理する入場管理装置と、を備えた入場管理システムであって、前記扉の近傍に設置され、前記扉制御装置からの撮影指示情報に基づいて撮影した画像の画像データを前記扉制御装置に送信する第１のカメラを更に備え、前記携帯電話端末は、第２のカメラと、前記第２のカメラによって前記ユーザを含む画像を撮影した画像データを生成する撮影手段と、前記撮影手段が生成する画像データから特徴データを生成する特徴データ生成手段と、前記特徴データ生成手段が生成した特徴データと前記識別情報を記憶手段へ記録する第１の記録手段と、前記特徴データ生成手段が生成した特徴データ及び前記識別情報を前記入場管理装置に送信する通信手段と、無線信号を受信して記憶手段に記憶される特徴データ及び前記識別情報を含む無線信号を出力する無線信号出力手段とを備え、前記入場管理装置は、前記携帯電話端末に接続する第１の接続手段と、前記第１の接続手段が前記携帯電話端末から受信する識別情報と前記特徴データとを対応付けて認証情報記憶手段に記録する第２の記録手段と、前記無線信号を送信する無線送信手段と、前記無線送信手段が送信する無線信号により前記携帯電話端末から出力される前記特徴データ及び前記識別情報を含む無線信号を受信する無線受信手段と、前記第１のカメラに接続され、前記無線受信手段が前記無線信号を受信した場合、前記第１のカメラに撮影指示情報を送信し、前記第１のカメラから送信される画像データを受信するカメラ接続手段と、前記カメラ接続手段が受信した画像データから前記特徴データを生成する第２の特徴データ生成手段と、前記無線受信手段が受信する無線信号に含まれる識別情報に基づいて、前記認証情報記憶手段から前記特徴データを読み出し、読み出した前記特徴データと、前記無線受信手段が受信した無線信号に前記識別情報とともに含まれる特徴データと、前記第２の特徴データ生成手段が生成した特徴点データとが互いに一致するか否かを判定する判定手段と、前記判定手段が前記特徴点データが互いに一致すると判定した場合に、前記扉を開放する扉開放手段と、を備えたことを特徴とする入場管理システムである。
【００１０】
また、本発明は、上記に記載の発明において、前記特徴点データとは、前記ユーザの顔の特徴点、または前記ユーザの虹彩の特徴点を示すデータであることを特徴とする。
【００１１】
また、本発明は、ユーザに所持され、第２のカメラを有する携帯電話端末と、扉の開閉を制御する扉制御装置と、前記扉の近傍に設置され、前記扉制御装置からの撮影指示情報に基づいて撮影した画像の画像データを前記扉制御装置に送信する第１のカメラとを備え、前記ユーザの入場を扉の開閉により管理する入場管理方法であって、前記携帯電話端末が、前記第２のカメラによって前記ユーザを含む画像を撮影した画像データを生成するステップと、前記携帯電話端末が、生成する画像データから特徴データを生成するステップと、前記携帯電話端末が、生成した特徴データを記憶手段へ記録するステップと、前記扉制御装置が、無線信号を送信するステップと、前記携帯電話端末が、前記扉制御装置から前記無線信号を受信して前記記憶手段に記憶されている特徴データを含む無線信号を出力するステップと、前記扉制御装置が、送信する無線信号により前記携帯電話端末から出力される前記特徴データを含む無線信号を受信するステップと、前記扉制御装置が、前記無線信号を受信した場合、前記第１のカメラに撮影指示情報を送信するステップと、前記扉制御装置が、前記第１のカメラから送信される画像データを受信するステップと、前記扉制御装置が、受信した画像データから前記特徴データを生成するステップと、前記扉制御装置が、生成した特徴点データと、受信する無線信号に含まれる特徴データとが一致するか否かを判定するステップと、前記扉制御装置が、生成した特徴点データと、受信する無線信号に含まれる特徴データとが一致すると判定した場合、前記扉を開放するステップと、を含むことを特徴とする入場管理方法である。
【００１２】
また、本発明は、ユーザに所持され、予め一意に識別可能な識別情報が付与され、カメラを有する携帯電話端末と、扉の開閉を制御する扉制御装置と、前記携帯電話端末と前記扉制御装置に接続される認証サーバ装置とを備え、前記ユーザの入場を扉の開閉により管理する入場管理方法であって、前記携帯電話端末が、前記カメラによって前記ユーザを含む画像を撮影した画像データを生成するステップと、前記携帯電話端末が、生成する画像データから特徴データを生成するステップと、前記携帯電話端末が、生成した特徴データと前記識別情報を記憶手段へ記録するステップと、前記携帯電話端末が、生成した特徴データ及び前記識別情報を前記認証サーバ装置に送信するステップと、前記認証サーバ装置が、前記携帯電話端末から受信する識別情報と前記特徴データとを対応付けて認証情報記憶手段へ記録するステップと、前記扉制御装置が、無線信号を送信するステップと、前記携帯電話端末が、前記扉制御装置から前記無線信号を受信して前記記憶手段に記憶される特徴データ及び前記識別情報を含む無線信号を出力するステップと、前記扉制御装置が、送信する無線信号により前記携帯電話端末から出力される前記特徴データ及び前記識別情報を含む無線信号を受信するステップと、前記扉制御装置が、前記無線信号を受信した場合、前記無線信号から前記特徴データ及び前記識別情報を読み出して前記認証サーバ装置に送信するステップと、前記認証サーバ装置が、前記扉制御装置から送信される識別情報に基づいて、前記認証情報記憶手段から前記特徴データを読み出すステップと、前記認証サーバ装置読み出した前記特徴データと、前記扉制御装置から前記識別情報とともに受信する特徴データとが一致するか否かを判定し、一致する場合に、前記扉制御装置に扉開放指示情報を送信するステップと、前記扉制御装置が、前記認証サーバ装置から前記扉開放指示を受信するステップと、前記扉制御装置が、前記扉開放指示を受信した場合、前記扉を開放するステップと、を含むことを特徴とする入場管理方法である。
【００１３】
また、本発明は、ユーザに所持され、予め一意に識別可能な識別情報が付与され、第２のカメラを有する携帯電話端末と、扉の開閉により前記ユーザの入場管理する入場管理装置と、前記扉の近傍に設置され、前記扉制御装置からの撮影指示情報に基づいて撮影した画像の画像データを前記扉制御装置に送信する第１のカメラと、を備えた入場管理方法であって、前記携帯電話端末が、前記第２のカメラによって前記ユーザを含む画像を撮影した画像データを生成するステップと、前記携帯電話端末が、生成する画像データから特徴データを生成するステップと、前記携帯電話端末が、生成した特徴データと前記識別情報を記憶手段へ記録するステップと、前記携帯電話端末が、生成した特徴データ及び前記識別情報を前記入場管理装置に送信するステップと、前記入場管理装置が、前記携帯電話端末から受信する識別情報と前記特徴データとを対応付けて認証情報記憶手段に記録するステップと、前記入場管理装置が、無線信号を送信するステップと、前記携帯電話端末が、前記入場管理装置から前記無線信号を受信して前記記憶手段に記憶される特徴データ及び前記識別情報を含む無線信号を出力するステップと、前記入場管理装置が、送信する無線信号により前記携帯電話端末から出力される前記特徴データ及び前記識別情報を含む無線信号を受信するステップと、前記入場管理装置が、前記無線信号を受信した場合、前記第１のカメラに撮影指示情報を送信するステップと、前記入場管理装置が、前記第１のカメラから送信される画像データを受信するステップと、前記入場管理装置が、受信した画像データから前記特徴データを生成するステップと、前記入場管理装置が、受信する無線信号に含まれる識別情報に基づいて、前記認証情報記憶手段から前記特徴データを読み出すステップと、前記入場管理装置が、生成した特徴点データと、前記認証情報記憶手段から読み出した前記特徴データと、受信した無線信号に当該識別情報とともに含まれる特徴データとが互いに一致するか否かを判定するステップと、前記入場管理装置が、前記特徴点データが互いに一致すると判定した場合に、前記扉を開放するステップと、を含むことを特徴とする入場管理方法である。
【発明の効果】
【００１４】
この発明によれば、携帯電話端末により人の生体情報である顔や虹彩から人を識別することが可能な特徴を抽出して特徴データとして携帯電話端末の内部に記録させることができ、さらに、携帯電話端末の内部に記録した特徴データに基づいて、人が居室等へ入室する際に、当該人が携帯電話端末の真の所持者であるかの認証を行い、さらに、携帯電話端末が予め登録されている端末であるかの認証を行って入場の管理を行うことが可能となる。
【発明を実施するための最良の形態】
【００１５】
以下、本発明の実施形態を図面を参照して説明する。
（第１実施形態）
図１は、本発明の第１実施形態による入場管理システム１を示す概略ブロック図である。入場管理システム１は、ユーザ３００の入場を管理するドア１００と、ドア１００の近傍に設けられるドア制御装置３０ａ及びドア制御装置３０ａの動作に連動して撮影する連動カメラ５０と、ユーザ３００が所持する携帯電話端末１０ａとを備えている。
【００１６】
図２は、第１実施形態に係る携帯電話端末１０ａの内部構成を示した図である。
携帯電話端末１０ａにおいて、ＩＣ（Integrated Circuit）チップ２０ａは、いわゆる非接触で外部のリーダにより内部に記憶する情報が読み取られるＩＣチップであり、アンテナ２３と、制御部２２ａと、特徴データ生成部１４ａによって生成される特徴データを記憶する記憶部２１ａとを備えている。アンテナ２３は、コイル状になっており、後述するドア制御装置３０ａが備える無線送受信部３５ａが一定間隔で送信する無線信号がコイルの中空部分を通過することにより、電流を発生させる。制御部２２ａは、アンテナ２３が発生した電流を検出する。また、制御部２２ａは、検出した電流に基づいて、記憶部２１ａが記憶している特徴データを読み出し、読み出した特徴データを含む無線信号をアンテナ２３により送信する。
【００１７】
携帯電話端末１０ａにおいて、操作部１３は、例えばキーボードであり、ユーザ３００のキーボード操作を検出し、検出した操作に応じた指示情報を入力する。カメラ１１は、例えば、デジタルスチルカメラ等であり、図１に示すようにユーザ３００の顔３０１の画像を撮影する。撮影部１２は、操作部１３から入力される撮影指示情報に基づいて、カメラ１１に撮影を行わせ、カメラ１１が撮影した画像の画像データを出力する。
【００１８】
特徴データ生成部１４ａは、撮影部１２から出力される画像データから顔の部分の画像データを抽出し、抽出した顔の部分の画像データから顔の特徴抽出を行い、特徴データを生成する。記録部１５は、特徴データ生成部１４ａが生成する特徴データをＩＣチップ２０ａの記憶部２１ａに記録する。
【００１９】
次に、図３は、ドア１００の開閉を制御するドア制御装置３０ａの内部構成及び連動カメラ５０との接続構成を示した図である。連動カメラ５０は、予めドア制御装置３０ａの近傍を撮影するように位置が定められており、ドア制御装置３０ａからの撮影指示情報に基づいて撮影し、撮影した画像の画像データを生成して出力する。ドア制御装置３０ａにおいて、カメラ接続部３３は、連動カメラ５０に接続し、連動カメラ５０へ撮影指示情報を送信し、また、連動カメラ５０から送信される画像データを受信する。
【００２０】
特徴データ生成部３１は、連動カメラ５０が撮影により生成した画像データを、カメラ接続部３３を介して受信し、受信した画像データから顔の部分の画像データを抽出し、抽出した顔の部分の画像データから特徴抽出を行い、特徴データを生成する。ここで、特徴データ生成部３１は、携帯電話端末１０ａの特徴データ生成部１４ａと異なり、最初に画像データから顔の部分を抽出するのは、連動カメラ５０によって撮影される画像は、ユーザ３００の身長差を考慮して広い範囲で撮影されるような場合に、顔の特徴抽出を行うために、顔を含む一定範囲以外の画像を除いておくためである。
【００２１】
無線送受信部３５ａは、携帯電話端末１０ａに内蔵されるＩＣチップ２０ａの記憶部２１ａが記憶する特徴データを読み出すリーダであり、一定の指向性及び一定間隔で無線信号を送信し、また、携帯電話端末１０ａのＩＣチップ２０ａのアンテナ２３から送信される特徴データを含む無線信号を受信する。また、無線送受信部３５ａは、携帯電話端末１０ａから送信される無線信号を受信した際に、カメラ接続部３３を介して連動カメラ５０に撮影指示情報を送信する。
【００２２】
判定部３２は、特徴データ生成部３１が生成して出力する特徴データと、無線送受信部３５ａが携帯電話端末１０ａから受信する無線信号に含まれる特徴データとが一致するか否かを判定し、一致する場合に、開放指示情報をドア開放部３４に送信する。
【００２３】
ドア開放部３４は、ドア１００の開閉を行う機能に接続されており、開放指示情報が入力されると、ドア１００を開放させる信号を送信し、ドア１００の開放、あるいはロックの解除等を行う。
【００２４】
次に、図４及び図５を参照して、第１実施形態に係る入場管理システム１の動作を説明する。図４は、携帯電話端末１０ａに特徴データを登録する処理を示したフローチャートである。まず最初に、ユーザ３００は、自らが所持する携帯電話端末１０ａの操作部１３を操作することにより、操作部１３は撮影指示情報を撮影部１２に入力する。撮影部１２は、撮影指示情報が入力されるとカメラ１１に携帯電話端末１０ａを所持するユーザの顔３０１を撮影させる。撮影部１２は、カメラ１１が撮影した顔の部分を含む画像の画像データを特徴データ生成部１４ａに出力する（ステップＳａ１）。特徴データ生成部１４ａは、撮影部１２から入力される顔の部分を含む画像データから顔の特徴抽出を行い、特徴データを生成し、記録部１５に出力する（ステップＳａ２）。記録部１５は、特徴データをＩＣチップ２０ａの記憶部２１ａに記録する（ステップＳａ３）。これにより、携帯電話端末１０ａの記憶部２１ａに特徴データが記録される。
【００２５】
次に、図５は、ユーザが、記憶部２１ａに顔の特徴データが記録された状態の携帯電話端末１０ａを所持して、ドア１００の近傍に近づき、ドア１０を開放しようとする際の処理を示したフローチャートである。
【００２６】
まず最初に、ユーザ３００は、携帯電話端末１０ａに内蔵されるＩＣチップ２０ａのアンテナ２３がドア制御装置３０ａの無線送受信部３５ａから送信される無線信号を受信可能な距離まで携帯電話端末１０ａをドア制御装置３０ａに近づける。ここで、受信可能な距離とは、アンテナ２３が電流を発生させる程度の無線信号が、アンテナ２３によって受信される距離である。
【００２７】
携帯電話端末１０ａのＩＣチップ２０ａのアンテナ２３は、無線受信部３５から送信される無線信号により電流を発生し、発生した電流が制御部２２ａに入力されると、制御部２２ａは、記憶部２１ａに記録されている特徴データを読み出し、読み出した特徴データを含む無線信号をアンテナ２３により出力する。そして、ドア制御装置３０ａの無線送受信部３５ａは、アンテナ２３から送信される無線信号を受信する（ステップＳｂ１）。
【００２８】
無線送受信部３５ａは、無線信号を受信すると、カメラ接続部３３を介して撮影指示情報を連動カメラ５０に送信する。連動カメラ５０は、撮影指示情報を受信すると、携帯電話端末１０ａの所持者であるユーザ３００が存在するドア制御装置３０ａの付近を撮影し、撮影した画像の画像データを出力する（ステップＳｂ２）。
【００２９】
カメラ接続部３３は、連動カメラ５０から出力される画像データを特徴データ生成部３１に入力する。特徴データ生成部３１は、入力される画像データから顔の部分を抽出し、さらに、抽出した顔の部分から顔の特徴抽出を行って、特徴データを生成し、判定部３２に入力する（ステップＳｂ３）。また、無線送受信部３５ａは、無線信号を受信した際に、受信した無線信号に含まれる特徴データを判定部３２に入力する（ステップＳｂ４）。
【００３０】
判定部３２は、無線送受信部３５ａから入力される特徴データと、特徴データ生成部３１から入力される特徴データとが一致するか否かを判定する（ステップＳｂ５）。判定部３２は、無線送受信部３５ａから入力される特徴データと、特徴データ生成部３１から入力される特徴データとが一致すると判定した場合、開放指示情報をドア開放部３４に出力し、ドア開放部３４は、ドア１００を開放、あるいはドア１００のロックを解除し（ステップＳｂ６）、処理を終了する。一方、判定部３２は、無線送受信部３５ａから入力される特徴データと、特徴データ生成部３１から入力される特徴データとが一致しないと判定した場合、処理を終了する。
【００３１】
上記の第１実施形態の構成により、ユーザ３００の生体情報の一つである顔の特徴データを用いて、ドア制御装置３０ａの近傍に近づいたユーザ３００が、携帯電話端末１０ａの真の所持者であるか否かを判定することが可能となり、真の携帯電話端末１０ａの所持者だけがドア１００を開放することができる。また、携帯電話端末１０ａで顔を撮影することにより生成される特徴データを記憶部２１ａに記録するという操作を自由に行えないようにパスワード等で制限をかけておくことで、仮に携帯電話端末１０ａを紛失し、第三者が取得したとしても、第三者の使用により、ドア１００を開放させてしまうことを防ぐことが可能となる。
【００３２】
（第２実施形態）
次に、本発明の第２実施形態について説明する。
図６は、本発明の第２実施形態に係る入場管理システム２を示す概略ブロック図である。入場管理システム２は、携帯電話端末１０ｂ、携帯電話通信事業者が運営する携帯電話網２００、ユーザ３００の認証を行う認証サーバ装置６０、扉１１１の開閉によりユーザ３００の入場を管理するゲート１１０、ゲート１１０に設置されるゲート制御装置３０ｂを備えている。
【００３３】
図７は、携帯電話端末１０ｂの内部構成を示した図である。第２実施形態では図７に示すようにユーザ３００の生体情報としてユーザ３００の虹彩３０２の特徴を抽出した特徴データを用いるため、撮影部１２から出力される画像データは、虹彩の部分を含む画像データとなる。また、ユーザ３００の認証に用いる情報として、携帯電話端末１０ｂに予め付与されている電話番号と、虹彩の特徴データを用いる点が異なる。以下、第１実施形態に係る携帯電話端末１０ａと同じ機能部については同じ符号を付し、異なる機能部について説明する。
【００３４】
特徴データ生成部１４ｂは、撮影部１２から出力される虹彩の部分を含んだ画像データから虹彩の特徴抽出を行い、特徴データを生成し、記録部１５と、通信部１６に出力する。通信部１６は、特徴データ生成部１４ｂから特徴データが入力されると、予め定められる認証サーバ装置６０の電話番号に基づいて発信を行い、携帯電話端末１０ｂに予め付与されている電話番号と特徴データとを含む無線信号をアンテナ１７を介して送信する。ＩＣチップ２０ｂの記憶部２１ｂは、携帯電話端末１０ｂの電話番号と、特徴データ生成部１４ｂによって生成され、記録部１５によって記録される特徴データとを記憶する。
【００３５】
図８は、認証サーバ装置６０及びゲート制御装置３０ｂの内部構成、並びに認証サーバ装置６０とゲート制御装置３０ｂの接続関係、認証サーバ装置６０と携帯電話網２００と携帯電話端末１０ｂの接続関係を示した図である。
【００３６】
ゲート制御装置３０ｂにおいて、接続部３６ｂは、認証サーバ装置６０の接続部６５とデータ通信回線等により接続される。無線送受信部３５ｂは、携帯電話端末１０ｂに内蔵されるＩＣチップ２０ｂの記憶部２１ｂが記憶する電話番号と特徴データを読み出すリーダであり、一定の指向性及び一定間隔で無線信号を送信し、また、携帯電話端末１０ｂのＩＣチップ２０ｂのアンテナ２３から送信される無線信号を受信する。また、無線送受信部３５ｂは、携帯電話端末１０ａから送信される無線信号を受信した際に、無線信号に含まれる電話番号と特徴データとを読み出し、読み出した電話番号と特徴データとを接続部３６ｂを介して認証サーバ装置６０に送信する。ゲート開放部３４ｂは、ゲートの開放機能に接続され、開放指示情報が入力されると、ゲート１１０に扉１１１を開放させる信号を送信し、ゲート１１０に扉１１１の開放を行わせる。
【００３７】
認証サーバ装置６０において、アンテナ６９は、携帯電話網２００との間で無線信号の送受信を行う。通信部６１は、携帯電話端末１０ｂから発信され、携帯電話網２００を介して着信する電話の通信路を確立する。また、通信部６１は、携帯電話端末１０ｂから送信される電話番号と特徴データを含む無線信号を受信し、受信した無線信号から電話番号と特徴データを読み出す。記録部６２は、通信部６１が無線信号から読み出した電話番号と特徴データとを対応付けて認証情報記憶部６４に記録する。
【００３８】
接続部６５は、ゲート制御装置３０ｂの接続部３６ｂと接続し、ゲート制御装置３０ｂの接続部３６ｂから送信される電話番号と特徴データが組み合わされた情報を受信する。判定部６３は、接続部６５がゲート制御装置３０ｂから受信した電話番号と特徴データが組み合わされた情報から電話番号を読み出し、読み出した電話番号に対応する特徴データを認証情報記憶部６４から読み出し、読み出した特徴データと、ゲート制御装置３０ｂから受信した特徴データとが一致するか否かを判定し、一致する場合に開放指示情報を接続部６５を介してゲート制御装置３０ｂに送信する。
【００３９】
次に、図９及び図１０を参照して第２実施形態に係る入場管理システム２の動作について説明する。図９は、入場管理システム２において認証に用いられる虹彩３０２の特徴データが携帯電話端末１０ｂと認証サーバ装置６０に登録されるまでの動作を示したフローチャートである。
【００４０】
まず最初に、ユーザ３００は、自らが所持する携帯電話端末１０ｂの操作部１３を操作することにより操作部１３は撮影指示情報を撮影部１２に入力する。撮影部１２は、撮影指示情報が入力されるとカメラ１１に自らの虹彩３０２を撮影させる。撮影部１２は、カメラ１１が撮影した虹彩の部分を含む画像の画像データを特徴データ生成部１４ｂに出力する（ステップＳｃ１）。特徴データ生成部１４ｂは、撮影部１２から入力される虹彩の部分を含む画像データから虹彩の特徴抽出を行い、特徴データを生成し、通信部１６と記録部１５に出力する（ステップＳｃ２）。記録部１５は、特徴データと、携帯電話端末１０ｂの電話番号とをＩＣチップ２０ｂの記憶部２１ｂに記録する（ステップＳｃ３）。
【００４１】
また、通信部１６は、予め定められている認証サーバ装置６０の電話番号に基づいて発信を行い、認証サーバ装置６０の通信部６１との間で通信路の確立を行い、特徴データ生成部１４ｂから入力される特徴データと携帯電話端末１０ｂの電話番号とを対応付けた無線信号をアンテナ１７を介して送信する（ステップＳｃ４）。認証サーバ装置６０の通信部６１は、携帯電話端末１０ｂから電話番号と特徴データとを含む無線信号をアンテナ６９を介して受信し、受信した無線信号に含まれる電話番号と特徴データとを読み出して記録部６２に入力し、記録部６２には、入力される電話番等と特徴データとを対応付けて認証情報記憶部６４に記録する（ステップＳｃ５）。
【００４２】
図１０は、ユーザ３００の虹彩３０２の特徴データが携帯電話端末１０ｂと認証サーバ装置６０に登録された状態にて、ユーザ３００が携帯電話端末１０ｂを所持してゲート１１０に近づいた際の入退場管理システム２の動作を示したフローチャートである。
【００４３】
ユーザ３００が携帯電話端末１０ｂを所持してゲート１１０の近傍に近づき、携帯電話端末１０ｂに内蔵されるＩＣチップ２０ｂのアンテナ２３がゲート制御装置３０ｂの無線送受信部３５ｂから送信される無線信号を受信可能な距離まで携帯電話端末１０ｂをゲート制御装置３０ｂに近づける。ここで、受信可能な距離とは、アンテナ２３が電流を発生させる程度の無線信号が、アンテナ２３によって受信される距離である。
【００４４】
携帯電話端末１０ｂのＩＣチップ２０ｂのアンテナ２３は、無線受信部３５から送信される無線信号により電流を発生し、発生した電流が制御部２２ｂに入力されると、制御部２２ｂは、記憶部２１ｂに記録されている携帯電話端末１０ｂの電話番号と特徴データを読み出し、読み出した電話番号と特徴データを含む無線信号をアンテナ２３により出力する。そして、ゲート制御装置３０ｂの無線送受信部３５ｂは、アンテナ２３から送信される無線信号を受信する（ステップＳｄ１）。
【００４５】
無線送受信部３５ｂは、無線信号を受信すると、無線信号から電話番号と特徴データを読み出して接続部３６ｂを介して認証サーバ装置６０へ送信する（ステップＳｄ２）。
【００４６】
認証サーバ装置６０の判定部６３は、接続部６５を介してゲート制御装置３０ｂから電話番号と特徴データを受信すると、受信した電話番号に対応する特徴データを認証情報記憶部６４から読み出す（ステップＳｄ３）。そして、判定部６３は、認証情報記憶部６４から読み出した特徴データと、ゲート制御装置３０ｂから受信した特徴データとが一致するか否かを判定する（ステップＳｄ４）。
【００４７】
判定部６３は、認証情報記憶部６４から読み出した特徴データと、ゲート制御装置３０ｂから受信した特徴データとが一致すると判定した場合、開放指示情報を接続部６５を介してゲート制御装置３０ｂに送信する（ステップＳｄ５）。接続部３６ｂを介して開放指示情報を受信したゲート開放部３４ｂは、ゲート１１０の扉１１１を開放し（ステップＳｄ６）、処理を終了する。一方、判定部６３は、認証情報記憶部６４から読み出した特徴データと、ゲート制御装置３０ｂから受信した特徴データとが一致しないと判定した場合、処理を終了する。
【００４８】
上記の第２実施形態の構成により、ユーザの生体情報である虹彩の特徴データとユーザが自ら所持する携帯電話端末１０ｂの電話番号が予め認証サーバ装置６０に登録されたユーザであって、携帯電話端末１０ｂを所持しているユーザだけにゲート１１０を通過させることが可能となる。
【００４９】
（第３実施形態）
次に、本発明の第３実施形態について説明する。
図１１は、本発明の第３実施形態に係る入場管理システム３を示す概略ブロック図である。入場管理システム３は、ユーザ３００が所持する携帯電話端末１０ｃと、携帯電話通信事業者が運営する携帯電話網２００、ユーザ３００の認証を行う認証サーバ装置６０、ユーザ３００の入場を管理するドア１００と、ドア１００の近傍に設けられるドア制御装置３０ｃ及びドア制御装置３０ｃの動作に連動して撮影する連動カメラ５０とを備えている。
【００５０】
第３実施形態に係る入場管理システム３において、認証サーバ装置６０、連動カメラ５０、ドア１００は、それぞれ第２実施形態に係る認証サーバ装置６０、第１実施形態に係る連動カメラ５０、ドア１００と同じ機能を有するため同じ符号によって示している。
【００５１】
次に、図１２は、第３実施形態に係る携帯電話端末１０ｃの内部構成を示した図である。第３実施形態では、ユーザ３００の顔３０１の認証に用いる生体情報としているため、携帯電話端末１０ｃは、第２実施形態に係る携帯電話端末１０ｂにおいて特徴データ生成部１４ｂを、第１実施形態に係る顔の部分の特徴抽出を行う特徴データ生成部１４ａに置き換えた構成を有している。また、ＩＣチップ２０ｃにおいて、記憶部２１ｃは、携帯電話端末１０ｃの電話番号と特徴データ生成部１４ａにより生成され、記録部１５によって記録される顔の部分の特徴データとを記憶する。制御部２２ｃは、記憶部２１ｃから電話番号と顔の部分の特徴データとを読み出し、読み出した電話番号と特徴データとを含む無線信号をアンテナ２３を介して送信する。
【００５２】
図１３は、認証サーバ装置６０及びドア制御装置３０ｃの内部構成、並びに認証サーバ装置６０とドア制御装置３０ｃの接続関係、認証サーバ装置６０と携帯電話網２００と携帯電話端末１０ｃの接続関係を示した図である。
【００５３】
上述したように認証サーバ装置６０は、第２実施形態に係る認証サーバ装置６０と同じ構成であるため説明を省略する。第３実施形態に係るドア制御装置３０ｃにおいて、第１実施形態のドア制御装置３０ａと同じ機能部については同じ符号を付し、以下異なる機能部について説明する。
【００５４】
接続部３６ｃは、認証サーバ装置６０の接続部６５とデータ通信回線等により接続される。無線送受信部３５ｃは、携帯電話端末１０ｃに内蔵されるＩＣチップ２０ｃの記憶部２１ｃが記憶する電話番号と特徴データを読み出すリーダであり、一定の指向性及び一定間隔で無線信号を送信し、また、携帯電話端末１０ｃのＩＣチップ２０ｃのアンテナ２３から送信される無線信号を受信する。また、無線送受信部３５ｃは、携帯電話端末１０ａから送信される無線信号を受信した際に、無線信号に含まれる電話番号と特徴データとを読み出し、読み出した電話番号と特徴データとを接続部３６ｃを介して認証サーバ装置６０に送信する。また、無線送受信部３５ｃは、携帯電話端末１０ｃから送信される無線信号を受信した際に、カメラ接続部３３を介して連動カメラ５０に撮影指示情報を送信する。
【００５５】
判定部３２ｃは、認証サーバ装置６０から開放指示情報を受信しているか否かを判定し、開放指示情報を受信している場合、さらに、特徴データ生成部３１が生成して出力する特徴データと、無線送受信部３５ｃが携帯電話端末１０ａから受信する無線信号に含まれる特徴データとが一致するか否かを判定し、一致する場合に、開放指示情報をドア開放部３４に送信する。
【００５６】
次に、図１４を参照して第３実施形態に係る入場管理システム３の動作について説明する。なお、虹彩の特徴データの代わりに顔の特徴データを携帯電話端末１０ｃにおいて生成し、認証サーバ装置６０の認証情報記憶部６４に記録するまでの処理は第２実施形態の図９で説明した処理と同じ処理であり、図１３は、認証サーバ装置６０に顔の特徴データと携帯電話端末１０ｃの電話番号とが対応付けられて記録されているものとして、ユーザ３００がドア１００の近傍に近づいた際の処理について説明する。
【００５７】
ユーザ３００が携帯電話端末１０ｃを所持してドア１００の近傍に近づき、携帯電話端末１０ｃに内蔵されるＩＣチップ２０ｃのアンテナ２３がドア制御装置３０ｃの無線送受信部３５ｃから送信される無線信号を受信可能な距離まで携帯電話端末１０ｃをドア制御装置３０ｃに近づける。ここで、受信可能な距離とは、アンテナ２３が電流を発生させる程度の無線信号が、アンテナ２３によって受信される距離である。
【００５８】
携帯電話端末１０ｃのＩＣチップ２０ｃのアンテナ２３は、無線受信部３５から送信される無線信号により電流を発生し、発生した電流が制御部２２ｃに入力されると、制御部２２ｃは、記憶部２１ｃに記録されている携帯電話端末１０ｃの電話番号と特徴データを読み出し、読み出した電話番号と特徴データを含む無線信号をアンテナ２３により出力する。そして、ドア制御装置３０ｃの無線送受信部３５ｃは、アンテナ２３から送信される無線信号を受信する（ステップＳｅ１）。
【００５９】
無線送受信部３５ｃは、無線信号を受信すると、無線信号から電話番号と特徴データを読み出して接続部３６ｃを介して認証サーバ装置６０へ送信する（ステップＳｅ２）。
【００６０】
認証サーバ装置６０の判定部６３は、接続部６５を介してドア制御装置３０ｃから電話番号と特徴データを受信すると、受信した電話番号に対応する特徴データを認証情報記憶部６４から読み出す（ステップＳｅ３）。そして、判定部６３は、認証情報記憶部６４から読み出した特徴データと、ゲート制御装置３０ｂから受信した特徴データとが一致するか否かを判定する（ステップＳｅ４）。
【００６１】
判定部６３は、認証情報記憶部６４から読み出した特徴データと、ゲート制御装置３０ｂから受信した特徴データとが一致すると判定した場合、開放指示情報を接続部６５を介してドア制御装置３０ｃに送信する（ステップＳｅ５）。一方、判定部６３は、認証情報記憶部６４から読み出した特徴データと、ゲート制御装置３０ｂから受信した特徴データとが一致しないと判定した場合、処理終了指示をドア制御装置３０ｃに送信する。
【００６２】
また、ステップＳｅ１において無線送受信部３５ｃが、無線信号を受信した際、カメラ接続部３３を介して撮影指示情報を連動カメラ５０に送信する。連動カメラ５０は、撮影指示情報を受信すると、ドア制御装置３０ｃの付近を撮影し、撮影した画像の画像データを出力する（ステップＳｅ６）。
【００６３】
カメラ接続部３３は、連動カメラ５０から出力される画像データを特徴データ生成部３１に入力する。特徴データ生成部３１は、入力される画像データから顔の部分を抽出し、さらに、抽出した顔の部分から顔の特徴抽出を行って、特徴データを生成し、判定部３２ｃに入力する（ステップＳｅ７）。また、無線送受信部３５ｃは、無線信号を受信した際に、受信した無線信号に含まれる特徴データを判定部３２ｃに入力する（ステップＳｅ８）。
【００６４】
判定部３２ｃは、無線送受信部３５ｃから入力される特徴データと、特徴データ生成部３１から入力される特徴データとが一致するか否かを判定する（ステップＳｅ９）。判定部３２ｃは、無線送受信部３５ｃから入力される特徴データと、特徴データ生成部３１から入力される特徴データとが一致しないと判定した場合、処理を終了する。一方、判定部３２ｃは、無線送受信部３５ｃから入力される特徴データと、特徴データ生成部３１から入力される特徴データとが一致すると判定した場合、次に、判定部３２ｃは、接続部３６ｃを介して認証サーバ装置６０から受信した信号が開放指示情報であるか否かを判定する（ステップＳｅ１０）。判定部３２ｃは、接続部３６ｃを介して認証サーバ装置６０から受信した信号が開放指示情報であると判定した場合、開放指示情報をドア開放部３４に出力し、ドア開放部３４は、ドア１００を開放、あるいはドア１００のロックを解除し（ステップＳｅ１１）、処理を終了する。一方、判定部３２ｃは、認証サーバ装置６０から開放指示情報を受信していないと判定した場合、処理を終了する。
【００６５】
上記の第３実施形態の構成により、携帯電話端末１０ｃで生成したユーザ３００の顔の特徴データを予め認証サーバ装置６０に登録しておくことができる。そして、ユーザ３００がドア１００を開放するため、ドア制御装置３０ａに携帯電話端末１０ｃに近づけた場合に、携帯電話端末１０ｃに記憶されている特徴データ及び電話番号と、認証サーバ装置６０に登録されている特徴データ及び電話番号とが一致するか否かを判定することにより、携帯電話端末１０ｃを所持しているユーザ３００が認証サーバ装置６０に登録されている人であるか否かを判定することができる。また、連動カメラ５０にて撮影されたユーザ３００の顔の特徴データと、携帯電話端末１０ｃに記憶されている特徴データとが一致するか否かを判定することにより、携帯電話端末１０ｃの所持者が真の携帯電話端末１０ｃの所持者であるか否かを判定することが可能となり、第１及び第２実施形態と比べてさらに、安全性を高めることが可能となる。
【００６６】
なお、第１から第３実施形態において、顔の画像データからの特徴抽出や、虹彩からの特徴抽出は特許文献１に開示されているような技術により実現することが可能である。
【００６７】
また、第２及び第３実施形態において、電話番号ではなく、予め携帯電話端末に付与される一意に識別可能な端末固有ＩＤなどの携帯電話端末を一意に識別可能な識別情報を用いることとしてもよい。
【００６８】
また、第３実施形態において、認証サーバ装置６０の判定部６３で行われる処理を、ドア制御装置３０ｃの判定部３２ｃに行わせてもよく、また、逆に、ドア制御装置３０ｃの判定部３２ｃで行われる処理を、認証サーバ装置６０の判定部６３に行わせてもよい。
また、第３実施形態において、認証サーバ装置６０とドア制御装置３０ｃとを一体として構成してもよく、その場合には、判定部６３と判定部３２ｃは一体の機能として、３つの特徴データが互いに一致するか否かを判定することになる。
【００６９】
また、本発明の請求項１に記載の入力管理システムは、第１実施形態の入場管理システム１に対応し、請求項２に記載の入力管理システムは、第２実施形態の入場管理システム２に対応し、請求項３に記載の入力管理システムは、第３実施形態の入場管理システム３に対応する。また、本発明に記載の第１のカメラは連動カメラ５０に対応し、本発明に記載の第２のカメラ及びカメラは、カメラ１１に対応する。また、本発明の請求項１に記載の扉制御装置は、第１実施形態のドア制御装置３０ａに対応し、本発明の請求項２に記載の扉制御装置は、第２実施形態のゲート制御装置３０ｂに対応し、本発明の請求項３に記載の扉制御装置は、第３実施形態のドア制御装置３０ｃに対応する。また、本発明の請求項２に記載の認証サーバ装置は、第２実施形態の認証サーバ装置６０に対応する。また、本発明の請求項３に記載の入場管理装置は、上述したように第３実施形態に係る認証サーバ装置６０とドア制御装置３０ｃとを一体で構成した装置に対応し、本発明の請求項３に記載の入場管理装置の判定手段は、上述したように判定部６３と判定部３２ｃが一体化された機能部に対応する。
【００７０】
上述の入場管理システム１、２、３は内部に、コンピュータシステムを有している。そして、上述した携帯電話端末１０ａ、１０ｂ、１０ｃ、ドア制御装置３０ａ、３０ｃ、認証サーバ装置６０、ゲート制御装置３０ｂの各機能部による処理は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００７１】
【図１】第１実施形態に係る入場管理システムを示すブロック図である。
【図２】第１実施形態に係る携帯電話端末の構成を示す図である。
【図３】第１実施形態に係るドア制御装置の構成を示す図である。
【図４】第１実施形態に係る入場管理システムの動作を示したフローチャート（その１）である。
【図５】第１実施形態に係る入場管理システムの動作を示したフローチャート（その２）である。
【図６】第２実施形態に係る入場管理システムを示すブロック図である。
【図７】第２実施形態に係る携帯電話端末の構成を示す図である。
【図８】第２実施形態に係るゲート制御装置及び認証サーバ装置の構成を示す図である。
【図９】第２実施形態に係る入場管理システムの動作を示したフローチャート（その１）である。
【図１０】第２実施形態に係る入場管理システムの動作を示したフローチャート（その２）である。
【図１１】第３実施形態に係る入場管理システムを示すブロック図である。
【図１２】第３実施形態に係る携帯電話端末の構成を示す図である。
【図１３】第３実施形態に係るドア制御装置及び認証サーバ装置の構成を示す図である。
【図１４】第４実施形態に係る入場管理システムの動作を示したフローチャートである。
【符号の説明】
【００７２】
１０ａ  携帯電話端末
３０ａ  ドア制御装置
５０  連動カメラ
１００  ドア
３００  ユーザ
３０１  顔
【図１】
2007157022.tif 000003
【図２】
2007157022.tif 000004
【図３】
2007157022.tif 000005
【図４】
2007157022.tif 000006
【図５】
2007157022.tif 000007
【図６】
2007157022.tif 000008
【図７】
2007157022.tif 000009
【図８】
2007157022.tif 000010
【図９】
2007157022.tif 000011
【図１０】
2007157022.tif 000012
【図１１】
2007157022.tif 000013
【図１２】
2007157022.tif 000014
【図１３】
2007157022.tif 000015
【図１４】
2007157022.tif 000016